(57)【要約】【目的】タイムリーな投薬を可能とするイオントフォレーゼを実現し、常時デバイスを装着した状態で、プログラム投与の実現を可能とする。【構成】薬液を含むリザーバと、当該リザーバに装着される導電性部材、前記導電性部材に、電気出力を行う出力手段よりなる痩身システム。【選択図】  図１
2004188113.tif 000002
【特許請求の範囲】
【請求項１】
薬液を含むリザーバと、当該リザーバに装着される導電性部材、前記導電性部材に、電気出力を行う出力手段よりなるイオントフォレーゼ用システム。
【請求項２】
前記薬液がカルシトニン等のペプチド類の食欲を抑制するための物質である請求項1に記載のイオントフォレーゼ用システム。
【請求項３】
前記出力手段の電気出力は、少なくとも極性の異なる電気出力を行うものであって、投薬のタイミングに基づいて、極性を切り替えることを特徴とする請求項1に記載のイオントフォレーゼ用システム。
【請求項４】
非投薬時、薬剤を保持するための補助電極を備えてなる請求項1に記載のイオントフォレーゼ用システム。
【発明の詳細な説明】
【０００１】
【産業上の利用分野】本発明は、イオントフォレーゼを用いたダイエット等の適時適当な物質投与を行う為のシステムに関する。
【０００２】
【従来の技術】
特表平１０−５１１００８号公報には、皮膚に高い電圧を瞬間的に加えてエレクトロポーレーション作用、即ち皮膚に穴を開けてそこから、様々な薬液を投与することが記載されている。その他、特開昭６１−３１１６９号公報には、イオントフォレーゼ用デバイスが開示され、より有効な経皮的投薬の提案がなされ、電気的な手法において多くの開示がされている。
【０００３】
【本発明が解決しようとする課題】
しかしながら、これらの手法は、電気的な工夫、或いは電極構造に対する工夫により、より効率のよい投薬手法の開示にとどまるものである。
このような、手法は、あくまで、要時、医師又は患者が、投与形態を確立して行うことを前提としている。
他方、電気的投与においては、タイマー機構の組み込み等を指摘するものも多いが、実際、皮膚に接した薬液は、電気の有無を問わず、経皮的な吸収が生じる場合が多いことから、その様な点にまで言及し、プログラマブルな投与の具体的な開示には至っていない。
例えば、痩身、いわゆるダイエットには、食事療法、運動療法等様々な手法が提案されているが、これといって確定的な手法が見いだされているわけではないものの、食べる量を減らせば、それで、ダイエットとしての効果が上がるのは一般的に知られているところであるが、食事の量を継続的に減らす行為を達成することは、より困難な課題であることも事実である。
そこで、食欲を減退させる薬剤の投与が、ダイエットに効果的であるものの、その投与は、通院時に注射により行われるものか、経口投与によるものに限られるが、通院という限られた時間での処理か、副作用等を回避するような限られた経口投薬しかなく、生活上での適当なタイミングでの投薬の実現には至っていない。
【０００４】
【課題を解決するための手段】
上記に鑑み本発明は、薬液を保持するリザーバと、導電性部材の組み合わせ構成において、例えば、食欲を減退させる物質を電気的に経皮投与を行い、好ましくはタイムリーな投薬を行うことで、不要な投薬を防止し、適時食欲減退をおこなわせるダイエット等のイオントフォレーゼによるシステムを提案するものである。
本発明は、食欲減退作用を利用するダイエットのためのシステムを主とするものであるが、タイムリーな投薬を行う必要がある場合に有効な利用が可能であり、例えば育毛剤等のように、就寝前から就寝時にかけての投薬が有効な場合にも本発明は好適である。
【０００５】
本発明では、個々人の間食、食事のリズムを経時的に把握し、そのタイミングを決定し、時間情報としてメモリに記録することが好ましい。
そのタイミングに合わせて、出力の切り替えを行う。例えば、間食前、30分〜1時間前から経皮投薬モードとし、その他の時間は、非投薬モードとするような極性の切り替えを行うことが好ましい。
イオントフォレーゼは、適応部位によっては、薬物を溶液に浸された角質層を介して電気力により投与する為、ある程度の時間を要し、又、薬剤によっては、血中濃度を一定に保つ必要がある場合があることから、必ずしも、食事の摂取前の上述した時間に投与する必要がなく、食事のタイミングを計らず、一定時間間隔で投与を行っても良い場合もある。
本発明における食欲抑制薬(Anorectics)としては、、例えばアミノレックス(Aminorex)、アンフェクロラール(Amphecloral)、アンフェタミン(Amphetamine)、ベンズフェタミン(Benzphetamine)、クロルフェンテルミン(Chlorphentermine)、クロベンゾレックス (Clobenzorex)、クロフォレックス(Cloforex)、クロルテルミン(Clortermine)、シクレキセドリン(Cyclexedrine)、硫酸デキストロアンフェタミン(Dextroamphetamine Sulfate)、ジエチルプロピオン(Diethylpropion)、ジフェメトキシジン(Diphemethoxidine)、N-エチルアンフェタミン(N-Ethylamphetamine)、フェンメトラジン(Phenmetrazine)、フェンペンテルミン(Phenpentermine)、塩酸フェニルプロパノールアミン(Phenylpropanolamine Hydrochloride)及びピシロレックス(Picilorex)、フェンブトラザート(Fenbutrazate)、フェンフルラミン(Fenfluramine)、フェンプロポレックス(Fenproporex)、フルフリルメチルアンフェタミン(Furfurylmethylamphetamine)、レボファセトペレート(Levophacetoperate)、マチンドール(Mazindol)、メフェノレックス(Mefenorex)、メタムフェプラモン(Metamfepramone)、メタムフェタミン(Methamphetamine)、ノルプセウドエフェドリン(Norpseudoephedrine)、フェンジメトラジン(Phendimetrazine)や、グルカゴン、コレシストキニン、アノレクチン、コルチコトロピン放出ホルモン、エンテロスタチン、カルシトニン、ノイロテンシン、ボンベシン及びシクロ−ＨｉｓＰｒｏ等のペプチド製剤が例示される。
更に、天然食品において、食欲減退を生じさせる物質であって、イオン化可能な物質であっても良い。
【０００６】
本発明における電気出力は、非投薬モードにおいては、極力電流消費を行わない様な、形態であって、薬剤のイオン化がプラスの場合は、マイナスの極の出力が薬剤に印加され、用事、逆の極性の出力が行われ、短時間で、所定の量の投薬を行う様な構成が好ましい。
従って、非投薬モードでは、少なくとも、イオン化薬剤を、電極にトラップできる程度の、薬液イオンと極性の出力がされている状態とし、投薬モードでは、その逆の極性の出力を行うものが例示される。
【０００７】
【実施例】
図1は、本発明の一実施例を示す図である。
11は、出力制御手段であり、イオントフォレーゼ用の出力を行うほか、マイコンなどの制御素子を具備し、時間と共に出力の停止、開始、極性の反転、出力の調節等を行うための部分である。イオントフォレ−ゼ用の出力としては、特開平２−２４１４６４号公報に記載された脱分極タイプのパルス出力が例示されるが、その他直流等も利用可能である。
12は、主極であり、薬液を含有する側である。13は、対極であり、対極側導電性部材16と、界面形成部材17との組み合わせによりなる。
対極13は、特にこの構成に限定されず、カーボンシートなどの導電性部材のみであってもよい場合もある。
14は、補助導電性部材であり、銀、塩化銀等の可逆性電極が好ましい。
15は、薬液含浸層であり、不織布、スポンジ等の多孔質シートに薬液を含浸したものが例示される。
16は、対極側導電性部材であり、好ましくは補助用導電性部材14と同種のもので形成されている。
17は、界面形成部材であり、不織布、スポンジ等の多孔質シートに導電性溶液が含浸したものが例示される。その他、保形性を有する程度に形成されたゲル基材であってもよい。
18は、電気リード線であり、出力制御手段11と、補助用導電性部材14とを電気的に接続するためのものである。
19も電気リード線であり、電気リード線18と同種の材料により形成されている。20は、主極側導電性部材であり、補助用導電性部材14、対極側導電性部材16と同種のもので形成されている。主極側導電性部材20は、メッシュ状、格子状等が、薬剤を保持し易くする点で好ましい。
21は、電気リード線であり、電気リード線18及び19と同様のもので構成されている。尚、電気リード線は、プリント配線板等の印刷形式のものが、薄く形成できる点等で好ましい。
22は、誘電体であり、電気的絶縁性の高いもの、コンデンサに利用されるものが例示され、紙、木、雲母等の電気的に絶縁性の高いもので形成されている。
【０００８】
次に動作について説明する。
非投薬モードにおいて、出力制御手段11は、補助用導電性部材14と、主極側導電性部材20間で、主極側導電性部材20側が、薬液の極性と反対の極性の出力となるように、電気出力を行う。その際の電気出力は、より高電圧であることが好ましい。
この高電圧（例えば数十Ｖ〜数百Ｖ、それ以上）の印加により、主極用導電性部材と、補助用導電性部材14間がコンデンサ的作用を行い。薬液は、主極側へ、トラップされた状態となる。
その際、対極側導電性部材16には、電気的出力は行わないものとする。
この状態では、高電圧が補助用導電性部材14と主極側導電性部材20間で印加されているが、電流が流れないため電気的消費はない。
投薬モードにおいて、
補助用導電性部材14への出力を停止し、主極側導電性部材20への出力を、薬液のイオン方向とは反対の極性を有する極の出力を行う。対極側導電性部材16は、主極側導電性部材20の出力とは、逆の極性の出力が行われる。
この出力により、皮膚を介した電気的閉回路が形成され、投薬が行われる。その際の電気出力は、数ボルト〜数十ボルト以下の高周波パルス、低周波パルス、低電圧直流等が例示される。
この投薬モードと、非投薬モードの切り替えは、たとえば、間食、食事接種の前1時間程度が好ましいが特にこれに限るものではなく、個人差により、あらかじめ、観察し、出力制御手段11の記録部に記録しておくことが好ましいが、気がついたとき出力を行いたい場合は、手動で切り替える構成をとってもよい。
【０００９】
以上詳述の如く本発明は、用事食欲減退剤等の薬液の生体への投与を可能とする構成を具備し、ダイエットなど、タイムリーな、薬液の投与を実現するものである。
【発明の効果】
【図面の簡単な説明】
【図１】本発明の一実施例を示す図である。
【符号の説明】
１１  出力制御手段
１２  主極
１３  対極
１４  補助用導電性部材
１５  薬液含浸層
１６  対極側導電性部材
１７  界面形成部材
１８、１９、２１  電気リード線
２０  主極側導電性部材
２２  誘電体
【図１】
2004188113.tif 000003